(57)【要約】【課題】  使用時の幅の設定と張力の調整が一本の伸縮部材で容易にできることを課題とする。【解決手段】  上記課題を解決する為に、本発明は、少なくとも二つの握り部材と一本の伸縮部材で構成されており、該二つの握り部材には少なくとも一つの把持部と、伸縮部材を保持する面を有する、板状又は棒状又は其の他の形状の部材から成る伸縮部材保持部が形成されている。この二つの握り部材の内の少なくとも一つの握り部材において、伸縮部材保持部の幅が、其れを形成する部材の数に拘わらず、最も広い部分で差し渡しが４ｃｍ以上の寸法を有している。伸縮部材は其れ自体が伸縮性及び柔軟性を有しており、且つ、或る長さを有する紐状又は帯状又は鎖状又は其の他の形状の部材で形成されている。そして、使用する際に伸縮部材を伸縮部材保持部の面に掛けて又は巻き付けて使用することを特徴とするエキスパンダーを提供する。【選択図】図１
2007301315.tif 000002
【特許請求の範囲】
【請求項１】
少なくとも、二つの握り部材と一本の伸縮部材で構成されており、該二つの握り部材には少なくとも一つの把持部と、伸縮部材を保持する手段を有する、板状又は棒状又は其の他の形状の部材から成る伸縮部材保持部が形成されている。この二つの握り部材の内の少なくとも一つの握り部材において、伸縮部材保持部の幅が、形成している部材の数に拘わらず最も広い部分で４ｃｍ以上の寸法を有し、そして、伸縮部材は其れ自体が伸縮性及び柔軟性を有しており、且つ、或る長さを有する紐状又は帯状又は鎖状又は其の他の形状の部材で形成され、伸縮部材保持部に取り付けられることを特徴とするエキスパンダー。
【請求項２】
二つの握り部材の伸縮部材保持部の幅を４ｃｍ以上としたことを特徴とする請求項１に記載のエキスパンダー。
【請求項３】
把持部と伸縮部材保持部を一体化して形成したことを特徴とする請求項１〜２のいずれかに記載のエキスパンダー
【請求項４】
把持部と伸縮部材保持部を離して形成し、連結部で接続したことを特徴とする請求項１〜３のいずれかに記載のエキスパンダー。
【請求項５】
伸縮部材保持部を環状に形成したことを特徴とする請求項１〜４のいずれかに記載のエキスパンダー。
【請求項６】
一つの握り部材に幅の異なる伸縮部材保持部を複数形成したことを特徴とする請求項１〜５のいずれかに記載のエキスパンダー。
【請求項７】
一つの握り部材に幅の異なる伸縮部材保持部を複数重ねて形成したことを特徴とする請求項６に記載のエキスパンダー。
【請求項８】
環状の伸縮部材保持部の面の一箇所を伸縮部材保持部の片側とし、其れ以外の面に凸状の仕切り部を形成して、複数の幅の異なる伸縮部材保持部を形成したことを特徴とする請求項７に記載のエキスパンダー。
【請求項９】
伸縮部材を環状に形成したことを特徴とする請求項１〜８のいずれかに記載のエキスパンダー。
【請求項１０】
伸縮部材を紐状又は帯状のゴム材で形成したことを特徴とする請求項１〜９のいずれかに記載のエキスパンダー。
【発明の詳細な説明】
【技術分野】
【０００１】  本発明は腕及び肩及び胸及び背中の筋肉を鍛えるためのエキスパンダーに関する。
【背景技術】
【０００２】  従来、腕や方の筋肉を鍛える道具としては、バーベルやエキスパンダーなどが有り、それらは極めてポピュラ−なものとして広く認識されている。其の中のエキスパンダーは通常、紐状のゴムやコイル状のバネ等の伸縮部材を複数本並べて、長さを固定して製作したものが多く、張力の調整はこれらのゴムやバネの本数を増減させて調節するものであった。従来のエキスパンダーに於いては、ゴムやコイルバネなどの長さを調整して張力を容易にコントロールできるものは無かった。
【発明が解決しようとする課題】
【０００３】  本発明は上記エキスパンダーの問題を解決するもので、張力の強さと引き始めの際の幅を容易に調整できることを課題とする。
【課題を解決するための手段】
【０００４】  上記課題を解決するために、本発明は次ぎの如き、エキスパンダーを提供する。
１、  少なくとも、二つの握り部材と一本の伸縮部材で構成されており、該二つの握り部材には少なくとも一つの把持部と、伸縮部材を保持する手段を有する、板状又は棒状又は其の他の形状の部材から成る伸縮部材保持部が形成されている。この二つの握り部材の内の少なくとも一つの握り部材において、伸縮部材保持部の幅が、形成している部材の数に拘わらず最も広い部分で４ｃｍ以上の寸法を有し、そして、伸縮部材は其れ自体が伸縮性及び柔軟性を有しており、且つ、或る長さを有する紐状又は帯状又は鎖状又は其の他の形状の部材で形成され、伸縮部材保持部に取り付けられることを特徴とするエキスパンダー。
２、  二つの握り部材の伸縮部材保持部の幅又は外側間隔を４ｃｍ以上としたことを特徴とする上記第１項に記載のエキスパンダー。
３、  把持部と伸縮部材保持部を一体化して形成したことを特徴とする上記第１〜２項のいずれかに記載のエキスパンダー。
４、  把持部と伸縮部材保持部を離して形成し、連結部で接続したことを特徴とする上記第１〜３項のいずれかに記載のエキスパンダー
５、  伸縮部材保持部を環状に形成したことを特徴とする上記第１〜４項のいずれかに記載のエキスパンダー。
６、  一つの握り部材に幅の異なる伸縮部材保持部を複数形成したことを特徴とする上記第１〜５項のいずれかに記載のエキスパンダー。
７、  一つの握り部材に幅の異なる伸縮部材保持部を複数重ねて形成したことを特徴とする上記第６項に記載のエキスパンダー。
８、  環状の伸縮部材保持部の面の一箇所を伸縮部材保持部の片側とし、其れ以外の面に凸状の仕切り部を形成して、複数の幅の異なる伸縮部材保持部を形成したことを特徴とする上記第７項に記載のエキスパンダー。
９、  伸縮部材を環状に形成したことを特徴とする上記第１〜８項のいずれかに記載のエキスパンダー。
１０、  伸縮部材を紐状又は帯状のゴム材で形成したことを特徴とする上記第１〜９項のいずれかに記載のエキスパンダー。
【発明実施の形態】
【０００５】  以下、図面を参照しながら本発明の各態様に係るエキスパンダーに関して説明する。以下の説明は、本発明の技術思想を具現化する幾つかの具体例を説明するものであり、本発明は以下の説明に限定されるものではない。
【０００６】  図１は本発明に係るエキスパンダーの形態を示す斜視図（ａ）と部分断面図（ｂ）である。図１に示すエキスパンダーは大きくは二つの握り部材１と一本の伸縮部材２とで構成されている。二つの握り部材１の一方は把持部３と伸縮部材２を掛けて保持する伸縮部材保持部４が環状の形態を有して、一体化して形成されており、他方は把持部３から或る距離を有してフック状の伸縮部材保持部４が連結部５で接続されている。其の際、一体化した方の伸縮部材保持部４の環の外側の幅は４ｃｍ以上となっており、フック状の方は４ｃｍ未満となっている。そして、一体化した方の伸縮部材保持部４の面６は伸縮部材２を掛けた時に外れ難い様に中央部が凹面になっている。伸縮部材２は本図においては紐状のゴム材で環状に形成され、二つの伸縮部材保持部４に掛けられている。
【０００７】  使い方に就いて説明すれば、自体が伸縮性を有する環状に形成した伸縮部材２を二つの伸縮部材保持部４に掛けて、左右の手で其々把持部３を握り左右に引っ張る。この様にすることで従来のエキスパンダーと同じ働きをすることができる。この際、環状の伸縮部材２の長さが、使用する人にとって長い場合は、伸縮部材２を環状の伸縮部材保持部４の環状に形成された面６に巻き付けて、張力を変えずに二つの握り部材１の間を短くして使用することができる。又、一本の伸縮部材２を二つの伸縮部材保持部４に二重又は三重にして掛け渡すことにより張力を二倍又は三倍にして使用することができる。
【０００８】  次ぎに本発明の各部分に就き、種々の態様を含めて説明する。握り部材１に就いて説明すると、握り部材１は其々の機能を有する部分を纏め構成した総称である。其のため、握り部材１は分割されていても、其々を握り部材１の一部と見なすことができる。依って、以下で説明する各部分を握り部材１と表すこともできる。
【０００９】  次ぎに握り部材１に形成された把持部３に就いて説明すると、把持部３は使用する際、手で把持する部分である。図１では硬質の棒状部材で形成された形態で示しているが、実施上は硬質の板状又は鎖状の部材でも良いし、柔軟性を有する紐状又は帯状又は鎖状の部材で形成しても良い。形状及び材質は任意である。把持部３を図１の様に棒状に形成した場合、実施上、長さは１０〜１２ｃｍ程度、太さは１〜３ｃｍ程度であることが好ましい。又、把持部３の表面に小さな凹凸を付けて、掌を指圧できる様にしても良い。更に、把持部３を棒状に形成し、外側に円形で筒状のスリーブを被せても良い。この様にすると把持した部分が回転し使い易くなる。
【００１０】  次ぎに伸縮部材保持部４に就いて説明すると、伸縮部材保持部４は伸縮部材２を取り付けるために形成された部位であり、伸縮部材２を掛ける部分（面６を含む）を云う。面６は伸縮部材保持部４において伸縮部材２と接触する部分を云う。伸縮部材保持部４とは面６と其の面６を形成する内側の部材を合わせたものを云う。依って面６と云っても其れは同時に伸縮部材保持部４を示すものでもある。面６を有しない部材は伸縮部材保持部４とは云わない。伸縮部材保持部４が把持部３と離れて接続している場合、その接続部分は連結部５と云う。又、伸縮部材保持部４が複数であって把持部３と其々が接続している場合、接続部分は連結部５である。図１（ａ）において二つの握り部材１に形成された伸縮部材保持部４は二つの形態を有している。一方は伸縮部材２を掛けるためだけのもので、フックの形状になっており把持部３からある距離を有して形成されている。もう一方は伸縮部材２を掛けるだけのものでなく、巻き取る機能を向上させるために板状部材を環状に形成し、環の外側の幅を４ｃｍ以上にして形成している。図１では把持部３と上部が一体化している。この様にすることで伸縮部材保持部４に伸縮部材２を容易に巻くことができ、伸縮部材２の長さを手早く調節できるので、使う人の手の長さに拘わらず適当なエキスパンドの運動範囲を得ることができる。この際、４ｃｍ以上に形成する伸縮部材保持部４は図１（ａ）で示すように二つの握り部材１の片方だけでも良いし両方に形成しても良い。環状にする場合、実施上、環の外側寸法は４〜１０ｃｍ程度の範囲が好ましい。図１において、この伸縮部材保持部４は板状部材を環状にして形成されている。又、環状に形成した場合、実施上、其の面６を凹面にして伸縮部材２が外れ難い様にすると良い。其の際、面６の幅は１ｃｍ以上であることが好ましい。又軽量化するために面６に孔を開けても良い。又、更に伸縮部材２が外れ難くなるようにストッパー７を形成しても良い。取りつけ位置及び形状は任意である。又、本態様においてフック状の伸縮部材保持部４を複数配列しても良い。又、本発明において伸縮部材保持部４の幅を規定するのに、形成する部材の数に拘わらずとしているのは、１つの伸縮部材保持部４が部材の一つの片又は塊で形成されている場合と複数の片又は塊で形成される場合があり、いずれの形態においても形成された伸縮部材保持部４は其の最も広い部分で４ｃｍ以上の寸法を有していることを示すものである。伸縮部材保持部４の形態に就いては種々の態様に関して図２で後記し更に説明する。
【００１１】  次ぎに連結部５に就いて云えば、前述の様に本態様においてはフック状に形成された伸縮部材保持部４が把持部３から或る距離を離して形成されている。其の際、把持部３と伸縮部材保持部４を接続している部材が連結部５である。連結部５の形状及び材質は任意であり、硬質のプラスチックでも良いし柔軟性の或る帯状のものでも良い。この点に就いてはもう一方の４ｃｍ以上の幅を有する伸縮部材保持部４を把持部３から離して形成する場合も同様である。又、其の際、連結部５の長さを変えられる様にしても良い。この様にすると把持部３と伸縮部材保持部４の間の距離を変えることができ、使用時のエキスパンダーの幅を変更できる。
【００１２】  次ぎに伸縮部材２に就いて説明する。図１に示す伸縮部材２は一本の紐状の其れ自体が伸縮性を有する部材を環状に形成したものである。図１においては環状に形成されたものになっているが、実施上は両端部を有するものでも構わない。使用する際に両端部を結び環状にしても使用することができるからである。又、実施上、伸縮部材２は或る長さを有する紐状の部材以外に帯状又は鎖状又は其の他の形状の部材であっても構わない。又、実施上、材質はゴム材で長さは５０ｃｍ以上、太さは断面積で１平方ｃｍ以下程度であることが好ましい。ゴム材の場合、伸び率（伸びていない長さ１に対して伸びた際の長さ）が１．５以上であることが使用上好ましい。又、其れ自体が伸縮性を有するものとして細い線状の部材をコイル状に連続して巻いて紐状にし、所謂コイルバネにしたものも選択できる。其れ自体で伸縮性を有するものとしては、前述のゴム材の様に材質で伸縮性を有するものと後述のコイルバネの様に構造で伸縮性を有するものが有るが、本発明においては両方共有効である。又、実施上、伸縮部材２は複数本を繋ぎ合わせて使用することもできる。
【００１３】  次ぎに図２に就いて説明する。図２は［００１０］において説明した伸縮部材保持部４の更なる態様を示す斜視図（ａ）と（ｂ）と（ｃ）と（ｄ）と（ｅ）と（ｆ）と（ｇ）である。（ａ）は伸縮部材保持部４を棒状部材一つで形成したものである。この場合、幅と云うのは太さを示す。この場合、太さは及び高さは及び傾斜及び曲がりは任意であるが、幅４ｃｍ未満の場合は実施上１ｃｍ程度、高さ即ち面６の幅は１ｃｍ以上が好ましい。又、図（ａ）では棒状部材は円柱状になっているが角柱であっても構わない。（ｂ）は棒状部材を複数にして形成したものである。複数にした場合、其の一つを伸縮部材保持４として使用して良いし、複数を一つとして使用しても良い。複数で使用する場合は、複数で形成したものを一つの伸縮部材保持部４と見なす。複数の場合、幅の最も広い部分とは其の内の二つの部材で成す外側の最も広い間隔を云う。（ｃ）は板状部材一つで形成したものである。この場合、幅は広い方の幅を云う。又（ｄ）で示す様に、面６（実施上１ｃｍ以上）を有する板状部材を伏せた形にして形成しても良い。（ｅ）は板状部材を複数にして形成したものである。幅に関しては（ｂ）と同じである。板状部材は湾曲していても構わない。（ｆ）は板状部材を環状にして形成したものである。この場合の幅とは環の径を示すが、環状と云っても、環は円形である必要は無く、楕円又は多角形又は物又は動物の輪郭などであっても良い。（ｇ）は複数の板状部材を離して環状に配置したものである。この場合、複数の棒状部材を離して環状に配置しても構わない。環の形状は（ｆ）と同様に任意である。
【００１４】  次ぎに図３に就いて説明する。図３は本発明に係るエキスパンダーの別の態様を示す正面図（ａ）と側面図（ｂ）と部分断面図（ｃ）である。図３は握り部材１に幅の異なる伸縮部材保持部４を複数重ねて形成した一態様の図である。図３（ａ）（ｂ）において把持部３と伸縮部材保持部４は離して形成されており、二つは連結部５で接続されている。環状に形成された伸縮部材保持部４の上側は凹形の面６を有している。伸縮部材保持部４の下側は傾斜しており、前部と後部とでは上部の面６からの幅を変えて形成されている。更に、伸縮部材保持部４の下側の面６から中央上部に掛けて一枚の凸状の仕切り部８が形成されている。この仕切り部８を形成することで、上部の面６と下側面６において、幅の異なる二つの伸縮部材保持部４を形成することができる。二つの面６を選択して巻くことにより、巻き取る長さを変化させることができるので。巻き取る幅が１つの場合に比べ、長さの調整が容易となり、使い勝手が極めて良くなるのである。実施上、下側の面６の幅は５〜１５ｃｍ程度の範囲で形成すると良い。又、図３（ａ）（ｂ）では下側の面６が斜めになっているが、階段状であっても良い。階段状に形成する場合、上下左右全てを階段状にして重ねて形成しても良い。又、図（ｃ）の部分断面図で示す様に階段の境部の面６を凸状にして、別の云い方をすれば其の内側を凹面にして、仕切り部８を形成しても良い。又、図３（ａ）（ｂ）では仕切り部８を面６の中央に一枚形成して二つの伸縮部材保持部４を形成しているが、仕切り部８の数は任意である。又、仕切り部８の形状も任意である。図３で示す様な板状でも良いし、棒状のものでも良いし、図３（ｃ）で示す様な突起状のものでも良い。機能上、伸縮部材のズレを防ぎ、面６を仕切ることができれば良い。又、伸縮部材が外れ難くなるようにストッパー７を取りつけても良い。ストッパー７の形状及び数も任意である。又、図３（ａ）（ｂ）において上下を逆にして、下側を一つの面６にして上側を複数の面６にしても構わない。又伸縮部材保持部４の上側と下側に仕切り部８を形成しても良い。但しその場合、中間に仕切り部８を有しない部分を形成して伸縮部材が仕切り部８を交差し易くするようにすると良い。
【００１５】  図４は本発明に係るエキスパンダーの別の態様を示す正面図（ａ）と側面図（ｂ）である。図４で示すエキスパンダーは図３で示した態様の把持部３と伸縮部材保持部４を一体化させて形成したものである。
【００１６】  上記において、本発明のエキスパンダーの各部の好ましい形状及び寸法及び材質に就いて説明したが、上記説明に限定されること無く、形状、寸法、材質は適宜経験的に決定できる。
【発明の効果】
本発明に係るエキスパンダーに依れば、使用時の設定幅及び張力を一本の伸縮部材で容易に変更できる。
【図面の簡単な説明】
【図１】  本発明の一態様に係るエキスパンダーの形態を示す斜視図（ａ）と断面図（ｂ）である。
【図２】  本発明の一態様に係るエキスパンダーの形態の一部分を示す斜視図（ａ）と（ｂ）と（ｃ）と（ｄ）と（ｅ）と（ｆ）と（ｇ）である。
【図３】  本発明の一態様に係るエキスパンダーの形態を示す正面図（ａ）と側面図（ｂ）と部分断面図（ｃ）である。
【図４】  本発明の一態様に係るエキスパンダーの形態を示す正面図（ａ）と側面図（ｂ）である。
【符号の説明】
１  握り部材
２  伸縮部材
３  把持部
４  伸縮部材保持部
５  連結部
６  面
７  ストッパー
８  仕切り部
【図１】
2007301315.tif 000003
【図２】
2007301315.tif 000004
【図３】
2007301315.tif 000005
【図４】
2007301315.tif 000006
【手続補正書】
【提出日】平成19年4月23日(2007.4.23)
【手続補正１】
【補正対象書類名】明細書
【補正対象項目名】００１０
【補正方法】変更
【補正の内容】
【００１０】  次ぎに伸縮部材保持部４に就いて説明すると、伸縮部材保持部４は伸縮部材２を取り付けるために形成された部位であり、伸縮部材２を掛ける部分（面６を含む）を云う。面６は伸縮部材保持部４において伸縮部材２と接触する部分を云う。伸縮部材保持部４とは面６と其の面６を形成する内側の部材を合わせたものを云う。依って面６と云っても其れは同時に伸縮部材保持部４を示すものでもある。面６を有しない部材は伸縮部材保持部４とは云わない。伸縮部材保持部４が把持部３と離れて接続している場合、その接続部分は連結部５と云う。又、伸縮部材保持部４が複数であって把持部３と其々が接続している場合、接続部分は連結部５である。図１（ａ）において二つの握り部材１に形成された伸縮部材保持部４は二つの形態を有している。一方は伸縮部材２を掛けるためだけのもので、フックの形状になっており把持部３からある距離を有して形成されている。もう一方は伸縮部材２を掛けるだけのものでなく、巻き取る機能を向上させるために板状部材を環状に形成し、環の外側の幅を４ｃｍ以上にして形成している。ここで云う外側の幅とは環の径、即ち、差し渡しの方向の長さを示すものであり、以下本発明で云う伸縮部材保持部の幅と云うのはこの差し渡し方向の長さを示すものである。図１では把持部３と上部が一体化している。この様にすることで伸縮部材保持部４に伸縮部材２を容易に巻くことができ、伸縮部材２の長さを手早く調節できるので、使う人の手の長さに拘わらず適当なエキスパンドの運動範囲を得ることができる。この際、４ｃｍ以上に形成する伸縮部材保持部４は図１（ａ）で示すように二つの握り部材１の片方だけでも良いし両方に形成しても良い。環状にする場合、実施上、環の外側寸法は４〜１０ｃｍ程度の範囲が好ましい。図１において、この伸縮部材保持部４は板状部材を環状にして形成されている。又、環状に形成した場合、実施上、其の面６を凹面にして伸縮部材２が外れ難い様にすると良い。其の際、面６の幅は１ｃｍ以上であることが好ましい。又軽量化するために面６に孔を開けても良い。又、更に伸縮部材２が外れ難くなるようにストッパー７を形成しても良い。取りつけ位置及び形状は任意である。又、本態様においてフック状の伸縮部材保持部４を複数配列しても良い。又、本発明において伸縮部材保持部４の幅を規定するのに、形成する部材の数に拘わらずとしているのは、１つの伸縮部材保持部４が部材の一つの片又は塊で形成されている場合と複数の片又は塊で形成される場合があり、いずれの形態においても形成された伸縮部材保持部４は其の最も広い部分で４ｃｍ以上の寸法を有していることを示すものである。伸縮部材保持部４の形態に就いては種々の態様に関して図２で後記し更に説明する。
【手続補正２】
【補正対象書類名】明細書
【補正対象項目名】００１３
【補正方法】変更
【補正の内容】
【００１３】  次ぎに図２に就いて説明する。図２は段落番号（００１０）において説明した伸縮部材保持部４の更なる態様を示す斜視図（ａ）と（ｂ）と（ｃ）と（ｄ）と（ｅ）と（ｆ）と（ｇ）である。（ａ）は伸縮部材保持部４を棒状部材一つで形成したものである。この場合、幅と云うのは太さを示す。この場合、太さは及び高さは及び傾斜及び曲がりは任意であるが、幅４ｃｍ未満の場合は実施上１ｃｍ程度、高さ即ち面６の幅は１ｃｍ以上が好ましい。又、図（ａ）では棒状部材は円柱状になっているが角柱であっても構わない。（ｂ）は棒状部材を複数にして形成したものである。複数にした場合、其の一つを伸縮部材保持４として使用して良いし、複数を一つとして使用しても良い。複数で使用する場合は、複数で形成したものを一つの伸縮部材保持部４と見なす。複数の場合、幅の最も広い部分とは其の内の二つの部材で成す外側の最も広い間隔を云う。（ｃ）は板状部材一つで形成したものである。この場合、幅は広い方の幅を云う。又（ｄ）で示す様に、面６（実施上１ｃｍ以上）を有する板状部材を伏せた形にして形成しても良い。（ｅ）は板状部材を複数にして形成したものである。幅に関しては（ｂ）と同じである。板状部材は湾曲していても構わない。（ｆ）は板状部材を環状にして形成したものである。この場合の幅とは環の径を示すが、環状と云っても、環は円形である必要は無く、楕円又は多角形又は物又は動物の輪郭などであっても良い。（ｇ）は複数の板状部材を離して環状に配置したものである。この場合、複数の棒状部材を離して環状に配置しても構わない。環の形状は（ｆ）と同様に任意である。
【手続補正書】
【提出日】平成19年5月18日(2007.5.18)
【手続補正１】
【補正対象書類名】特許請求の範囲
【補正対象項目名】請求項１
【補正方法】変更
【補正の内容】
【請求項１】
少なくとも、二つの握り部材と一本の伸縮部材で構成されており、該二つの握り部材には少なくとも一つの把持部と、伸縮部材を保持する面を有する、板状又は棒状又は其の他の形状の部材から成る伸縮部材保持部が形成されている。この二つの握り部材の内の少なくとも一つの握り部材において、伸縮部材保持部の幅が、其れを形成する部材の数に拘わらず、最も広い部分で差し渡しが４ｃｍ以上の寸法を有している。伸縮部材は其れ自体が伸縮性及び柔軟性を有しており、且つ、或る長さを有する紐状又は帯状又は鎖状又は其の他の形状の部材で形成されている。そして、使用する際に伸縮部材を伸縮部材保持部の面に掛けて又は巻き付けて使用することを特徴とするエキスパンダー。
【手続補正２】
【補正対象書類名】明細書
【補正対象項目名】０００４
【補正方法】変更
【補正の内容】
【０００４】上記課題を解決するために、本発明は次ぎの如き、エキスパンダーを提供する。
１、  少なくとも、二つの握り部材と一本の伸縮部材で構成されており、該二つの握り部材には少なくとも一つの把持部と、伸縮部材を保持する面を有する、板状又は棒状又は其の他の形状の部材から成る伸縮部材保持部が形成されている。この二つの握り部材の内の少なくとも一つの握り部材において、伸縮部材保持部の幅が、其れを形成する部材の数に拘わらず、最も広い部分で差し渡しが４ｃｍ以上の寸法を有している。伸縮部材は其れ自体が伸縮性及び柔軟性を有しており、且つ、或る長さを有する紐状又は帯状又は鎖状又は其の他の形状の部材で形成されている。そして、使用する際に伸縮部材を伸縮部材保持部の面に掛けて又は巻き付けて使用することを特徴とするエキスパンダー。
２、  二つの握り部材の伸縮部材保持部の幅又は外側間隔を４ｃｍ以上としたことを特徴とする上記第１項に記載のエキスパンダー。
３、  把持部と伸縮部材保持部を一体化して形成したことを特徴とする上記第１〜２項のいずれかに記載のエキスパンダー。
４、  把持部と伸縮部材保持部を離して形成し、連結部で接続したことを特徴とする上記第１〜３項のいずれかに記載のエキスパンダー
５、  伸縮部材保持部を環状に形成したことを特徴とする上記第１〜４項のいずれかに記載のエキスパンダー。
６、  一つの握り部材に幅の異なる伸縮部材保持部を複数形成したことを特徴とする上記第１〜５項のいずれかに記載のエキスパンダー。
７、  一つの握り部材に幅の異なる伸縮部材保持部を複数重ねて形成したことを特徴とする上記第６項に記載のエキスパンダー。
８、  環状の伸縮部材保持部の面の一箇所を伸縮部材保持部の片側とし、其れ以外の面に凸状の仕切り部を形成して、複数の幅の異なる伸縮部材保持部を形成したことを特徴とする上記第７項に記載のエキスパンダー。
９、  伸縮部材を環状に形成したことを特徴とする上記第１〜８項のいずれかに記載のエキスパンダー。
１０、  伸縮部材を紐状又は帯状のゴム材で形成したことを特徴とする上記第１〜９項のいずれかに記載のエキスパンダー。